(57)【要約】      （修正有）【課題】鏡の着脱がきわめて簡単にでき、異種材料のすべてを完全に分離して廃棄できるようにした鏡付きコンパクト容器を提供すること。【解決手段】ケース本体と、該ケース本体に取着された蓋体とからなるコンパクト容器であって、蓋体の頂壁裏面に、下端を内方に折曲げて係止板４２，４３とした一対の支持枠が垂設され、一方の係止板４２の巾を他方の係止板４３の巾より広くして、弾性体４４を挿入し、両支持枠の間に鏡３６を摺動可能として取着されていることを特徴とする。【選択図】図５
2005046465.tif 000002
【特許請求の範囲】
【請求項１】
ケース本体と、該ケース本体に取着された蓋体とからなるコンパクト容器であって、
蓋体の頂壁裏面に、下端を内方に折曲げて係止板とした一対の支持枠が垂設され、一方の係止板の巾を他方の係止板の巾より広くして、弾性体を挿入し、両支持枠の間に鏡を摺動可能として取着されていることを特徴とする鏡付きコンパクト容器。
【請求項２】
弾性体が、軟材質で成形されていることを特徴とする請求項１記載の鏡付きコンパクト容器。
【発明の詳細な説明】
【技術分野】
【０００１】
本発明は、鏡付きコンパクト容器、とくに鏡の着脱を容易にできるようにした鏡付きコンパクトに関するものである。
【背景技術】
【０００２】
鏡付きコンパクト容器において、使用済みのコンパクト容器の廃棄時に、鏡をコンパクト容器から取外して分別廃棄することは従来より実施されており、例えば、特許文献１に示されるようなコンパクト容器が提案されている。
【特許文献１】特開２０００−７００３２号公報
【０００３】
特許文献１記載のコンパクト容器は、蓋の裏面に鏡を支持する凹部を設け、該凹部の前後の端縁に溝を設けたオーバーハング部を設け、双方のオーバーハング部の間で鏡を摺動させるとともに、凹部の中央部と鏡との間に介在させた弾性体により、鏡の両端縁をオーバーハング部に押しつけて鏡を溝内に保持するようにし、鏡を着脱自在に取着するようにしている。
【発明の開示】
【発明が解決しようとする課題】
【０００４】
しかしながら、上記特許文献１記載のコンパクト容器は、弾性体が凹部、または鏡に接着しているので、弾性体を分離することは困難であり、また、弾性体には、ゴムやスチレン系樹脂が用いられているので、異なる材料をすべて分離し、完全に分別廃棄することができないという問題があった。
また、弾性体を凹部の所定の位置に接着剤によって接着するので、蓋体の組立に手間がかかるという問題があった。
【０００５】
本発明は、上記の問題点を解決することを課題として、鏡の着脱がきわめて簡単にでき、異種材料のすべてを完全に分離して廃棄できるようにした鏡付きコンパクト容器を提供することを目的とする。
【課題を解決するための手段】
【０００６】
鏡付きコンパクト容器として、ケース本体と、該ケース本体に取着された蓋体とからなるコンパクト容器であって、蓋体の頂壁裏面に、下端を内方に折曲げて係止板とした一対の支持枠が垂設され、一方の係止板の巾を他方の係止板の巾より広くして、弾性体を挿入し、両支持枠の間に鏡を摺動可能として取着されていることを特徴とする構成を採用する。
【発明の効果】
【０００７】
下端を係止板とした一対の支持枠の間で、弾性体を介して鏡を蓋体に対して摺動可能に保持するようにしたから、鏡の取付けにあたっては、一方の鏡の端縁で弾性体を圧縮変形して、他方の端縁を他方の係止板に妨げられることなく蓋体裏面に接合させ、弾性体の復元により鏡を双方の係止板によって保持させることができる。
【０００８】
鏡の取外しにあたっては、鏡を摺動させ、弾性体を圧縮すると、鏡の端縁は、他方の係止板より外れ、簡単に取外すことができる。
また、弾性体を引外した後に鏡を摺動させるようにすると、より容易に鏡を取外すことができ、鏡とともにコンパクト容器とは異なる材料から成形された弾性体をも簡単に分離して完全な分別廃棄ができるようになった。
【発明を実施するための最良の形態】
【０００９】
次に、本発明のコンパクト容器の実施形態について説明する。
図１において、Ａはケース本体、Ｂはケース本体Ａに蝶番を介して取着された蓋体、Ｃはケース本体Ａに装着された蓋係止部材である。
【００１０】
図１〜４に示すように、ケース本体Ａは、底壁１と、底壁１の各端縁に立設された前壁２と後壁３、および側壁４ａ，４ｂとからなっている。
図３、４に示すように、前壁２の中央部には、蓋係止部材Ｃを取着するための嵌挿孔５が設けられており、前壁２の上面には、挿入孔６が穿設されている。
嵌挿孔５の内側の端面７には、係止片８が突設されており、係止片８をはさんで上面を傾斜する案内面９とした案内突起１０が突設されている。
【００１１】
嵌挿孔５には操作部材１１が嵌挿され、操作部材１１は、上板１２と押さえ板１３と下板１４とからなっており、上板１２の内端には、薄肉部１５を介して、案内突起１０の案内面９に係合する一対の作動板１６が設けられている。
下板１４の下面には、ストッパー１７が突設されており、底壁１に設けた係止溝１８に嵌挿され、操作部材１１の抜け落ちを防止している。
【００１２】
ケース本体Ａの後壁３には、蝶番取付のための切欠部１９が設けられ、切欠部１９の端面から後壁３を貫通する軸受孔２０ａ，２０ｂが穿孔されている。
ケース本体Ａ内部を区分して、仕切壁２１が設けられており、仕切板２１の一方には、化粧皿２２が収納され、他方には、パフが収納されるようになっている。
【００１３】
図３，４に示すように、蓋体Ｂは、頂壁２５と、該頂壁２５の端縁から垂設された前壁２６と、後壁２７および側壁２８ａ，２８ｂとからなっている。
前壁２６の内側の所定位置には、頂壁２５から係止部材２９が垂設されており、係止部材２９は、ケース本体Ａの案内突起１０の巾に対応する係合板３０を下面に設けた支持板３１と、係合板３０の中央に垂設され、閉蓋時に、係止片８に係合する係止片３２とからなっている。
【００１４】
後壁２７の下端中央部には、蝶番３３が設けられ、蝶番３３の端面には、軸受孔３４ａ，３４ｂが穿孔されている。
軸受孔３４には、ケース本体Ａの後壁３に穿孔された軸受孔２０ａ，２０ｂを通じて、樹脂製蝶番ピン３５ａ，３５ｂが嵌挿され、蓋体Ｂは、蝶番３３を介してケース本体Ａに廻動自在に取着されている。
【００１５】
図２、４に示すように、頂壁２５の下面には、鏡３６を取着するための支持枠３７が設けられており、支持枠３７は、横方向に延びる一対の前支持枠３８ａ，３８ｂと、後支持枠３９ａ，３９ｂ、前後方向に延びる一対の側支持枠４０、４１とからなっている。
【００１６】
側支持枠４０は、その下端を内方に折り曲げ、広巾の係止板４２を形成しており、側支持枠４１は、その下端を内方に折り曲げ、細巾の係止板４３を形成している。
頂壁２５と広巾の係止板４２との間には、側支持枠４０に接して、エラストマー等の軟材質で、断面をほぼ角形、またはほぼ円形の長尺体とした弾性体４４が嵌挿されている。
頂壁２５の裏面中央部は、上方に湾曲しており、複数のリブ４５が設けられている。
【００１７】
鏡３６は、前後支持枠３８、３９の間でリブ４５上に載置され、支持枠４０との側では、弾性体４４を挟んで、側支持枠４０と側支持枠４１との間に支持され、その端縁３６ａ，３６ｂは、係止板４２、４３で係止される。
係止板４３の巾は、弾性体４４の非圧縮状態の巾より小さくなっており、弾性体４４が支持枠４０に押圧されたときの巾の減少量に、ほぼ等しくなっている。
【００１８】
次に、本実施例の作用効果について説明する。
鏡３６の取付けにあたっては、鏡３６の一端縁３６ａを広巾の係止板４２に入れ、支持枠４０の方に押付けると、弾性体４４が圧縮され、鏡３６の他端縁３６ｂは、係止板４３の内端４３ａより内側に入り込み、次いで、鏡３６から押圧を解くと、鏡３６の端縁３６ｂは弾性体４４の復元により係止板４３内に入り込み、図５（ａ）に示すように、鏡３６は、側支持枠４０と側支持枠４１との間に支持され、係止板４２と係止板４３とによって係止される。
【００１９】
使用後のコンパクト容器の廃棄にあたっては、図５（ｂ）に示すように、鏡３６を矢印の示す方向に摺動させ側支持枠４０に押付けると、弾性体４４が圧縮され、鏡３６の端縁３６ｂが、係止板４３の内端４３ａより内側にくるので、鏡３６の両端縁を掴んで、図５（ｃ）に示す矢印の方向に引出し、取外すことができる。
その際、鏡３６と頂壁２５との間にリブ４５が設けられているので、指先が入りやすく、鏡３６の端縁３６ｂを容易に掴むことが出来る。
【００２０】
また、弾性体４４を引き出した後に鏡を摺動させるようにすると、鏡を係止板４２からより簡単に取外すことができ、鏡とコンパクト容器、弾性体が分離できるので、異種材料を完全に分別して廃棄することができる
【００２１】
上記実施形態では、前支持枠３８ａ，３８ｂのそれぞれ、および後支持枠３９ａ，３９ｂのそれぞれを左右に離して配設したが、一つの連続した前支持枠、後支持枠としてもよい。
また、鏡の側支持枠の下端に係止板を突設するようにしたが、一方の係止板の根元部に薄肉部を設けてヒンジ結合するようにし、鏡の着脱時に、係止板を外方に廻動するようにしてもよい。
【産業上の利用可能性】
【００２２】
本発明のコンパクト容器は、蓋体の支持枠に弾性体を嵌挿し、鏡を弾性体の変形復元によって蓋体に対して摺動自在に取着するようにしているから、コンパクト容器への鏡の取付け、取外しが簡単にでき、鏡とコンパクト容器、弾性体の分離が簡単に分離でき分別廃棄に役立てることができる。
【図面の簡単な説明】
【００２３】
【図１】本発明コンパクト容器の断面側面図である。
【図２】コンパクト容器の断面正面図である。
【図３】開蓋状態のコンパクト容器の説明図で、（ａ）は断面側面図、（ｂ）は要部の説明図である。
【図４】開蓋状態のコンパクト容器の平面図である。
【図５】鏡の取外し時の説明図で、（ａ）は鏡の取着時の説明図、（ｂ）は鏡の取外し時の移動説明図、（ｃ）は鏡の取外し時の引はがし説明図である。
【符号の説明】
【００２４】
Ａ          ケース本体
Ｂ          蓋体
Ｃ          蓋体係止部材
１          底壁
２          前壁
３          後壁
４ａ，ｂ    側壁
５          嵌挿孔
８          係止片
１０        案内突起
１１        操作部材
２５        頂壁
２６        前壁
２７        後壁
２８ａ，ｂ  側壁
２９        係止部材
３１        支持板
３２        係止片
３３        蝶番
３６        鏡
３６ａ，ｂ  端縁
３７        支持枠
３８ａ，ｂ  前支持枠
３９ａ，ｂ  後支持枠
４０、４１  側支持枠
４２、４３  係止板
４３ａ      内端
４４        弾性体
４５        リブ
【図１】
2005046465.tif 000003
【図２】
2005046465.tif 000004
【図３】
2005046465.tif 000005
【図４】
2005046465.tif 000006
【図５】
2005046465.tif 000007